(57)【要約】【課題】発電システム用のエンクロージャを開示する。【解決手段】本エンクロージャ（１０）は、複数の側壁（１２）と、複数の側壁（１２）に対してほぼ横方向に延びる屋根（１４）とを含む。本エンクロージャ（１０）はさらに、その各々が屋根（１４）又は側壁（１２）の一方と関連した複数のラッチ（３０）と、その各々が屋根（１４）又は側壁（１２）の他方と関連した複数の係合要素（３２）とを含む。複数のラッチ（３０）の各々は、複数の係合要素（３２）の１つに係合して、屋根（１４）を複数の側壁（１２）に解除可能に締結するように構成される。【選択図】      図１
2012072768.tif 000002
【特許請求の範囲】
【請求項１】
発電システム用のエンクロージャ（１０）であって、
複数の側壁（１２）と、
前記複数の側壁（１２）に対してほぼ横方向に延びる屋根（１４）と、
その各々が前記屋根（１４）又は側壁（１２）の一方と関連した複数のラッチ（３０）と、
その各々が前記屋根（１４）又は側壁（１２）の他方と関連した複数の係合要素（３２）と
を備えており、前記複数のラッチ（３０）の各々が、前記複数の係合要素（３２）の１つに係合して、前記屋根（１４）を前記複数の側壁（１２）に解除可能に締結するように構成される、エンクロージャ（１０）。
【請求項２】
前記複数のラッチ（３０）の一部分が、前記複数の側壁（１２）の少なくとも１つと関連し、前記複数の係合要素（３２）の一部分が、前記複数の側壁（１２）の少なくとも別の１つと関連する、請求項１記載のエンクロージャ（１０）。
【請求項３】
その各々が前記屋根（１４）又は側壁（１２）の一方と関連した複数の剪断ピン（８０）をさらに含み、その各々が前記屋根（１４）又は側壁（１２）の他方と関連した複数のボア孔（８２）をさらに形成し、前記ボア孔（８２）の各々が、前記複数の剪断ピン（８０）の１つを受けて、前記屋根（１４）を前記それぞれの側壁（１２）と整列させるように構成される、請求項１又は請求項２記載のエンクロージャ（１０）。
【請求項４】
前記複数の剪断ピン（８０）の各々が、基部（８４）及び先端部（８６）間において少なくとも部分的にテーパしている、請求項３記載のエンクロージャ（１０）。
【請求項５】
前記複数のボア孔（８２）の各々が、前記それぞれの剪断ピン（８０）の基部（８４）と噛合うように構成される、請求項４記載のエンクロージャ（１０）。
【請求項６】
前記複数の剪断ピン（８０）の各々が、前記側壁（１２）と関連し、前記屋根（１４）が、前記複数のボア孔（８２）を形成する、請求項３乃至請求項５のいずれか１項記載のエンクロージャ（１０）。
【請求項７】
前記屋根（１４）が、複数の屋根セクション（２８）を含む、請求項１乃至請求項６のいずれか１項記載のエンクロージャ（１０）。
【請求項８】
前記複数の屋根セクション（２８）を互いに締結するように構成された複数の機械的ファスナ（９６）をさらに含む、請求項７記載のエンクロージャ（１０）。
【請求項９】
前記係合要素（３２）の各々が、前記それぞれのラッチ（３０）に係合するように構成されたフック（７２）を含む、請求項１乃至請求項８のいずれか１項記載のエンクロージャ（１０）。
【請求項１０】
前記ラッチ（３０）の各々が、前記それぞれの係合要素（３２）に係合するように構成されたＵ−ボルト（４０）を含む、請求項１乃至請求項９のいずれか１項記載のエンクロージャ（１０）。
【請求項１１】
前記複数のラッチ（３０）の各々が、前記屋根（１４）を前記複数の側壁（１２）に解除可能に締結するように枢動可能である、請求項１乃至請求項１０のいずれか１項記載のエンクロージャ（１０）。
【請求項１２】
発電システム用のエンクロージャ（１０）であって、
前方側壁（２０）、後方側壁（２２）、右側側壁（２４）及び左側側壁（２６）を備えた複数の側壁（１２）と、
前記複数の側壁（１２）に対してほぼ横方向に延びる屋根（１４）と、
その各々が前記屋根（１４）又は側壁（１２）の一方と関連した複数のラッチ（３０）と、
その各々が前記屋根（１４）又は側壁（１２）の他方と関連した複数の係合要素（３２）と、
その各々が前記屋根（１４）又は側壁（１２）の一方と関連した複数の剪断ピン（８０）と、
その各々が前記屋根（１４）又は側壁（１２）の他方内に形成された複数のボア孔（８２）と
を備えており、前記複数のラッチ（３０）の各々が、前記複数の係合要素（３２）の１つと係合して、前記屋根（１４）を前記複数の側壁（１２）に解除可能に締結するように構成され、前記ボア孔（８２）の各々が、前記複数の剪断ピン（８０）の１つを受けて、前記屋根（１４）を前記それぞれの側壁（１２）と整列させるように構成される、エンクロージャ（１０）。
【請求項１３】
前記複数のラッチ（３０）の一部分が、前記複数の側壁（１２）の少なくとも１つと関連し、前記複数の係合要素（３２）の一部分が、前記複数の側壁（１２）の少なくとも別の１つと関連する、請求項１２記載のエンクロージャ（１０）。
【請求項１４】
前記複数の剪断ピン（８０）の各々が、基部（８４）及び先端部（８６）間において少なくとも部分的にテーパしている、請求項１２又は請求項１３記載のエンクロージャ（１０）。
【請求項１５】
前記複数の剪断ピン（８０）の各々が、前記側壁（１２）と関連し、前記屋根（１４）が、前記複数のボア孔（８２）を形成する、請求項１２乃至請求項１４のいずれか１項記載のエンクロージャ（１０）。
【発明の詳細な説明】
【技術分野】
【０００１】
本開示は、総括的には発電システムに関し、より具体的には、発電システムを収容するためのエンクロージャに関する。
【背景技術】
【０００２】
発電のような分野では、多様な発電システムが利用される。例えば、１つのタイプの発電システムは、ガスタービンシステムである。従来型のガスタービンシステムは、圧縮機、燃焼器及びタービンを含む。従来型のガスタービンシステムでは、加圧空気が圧縮機から燃焼器に供給される。燃焼器に流入した空気は、燃料と混合されかつ燃焼される。高温燃焼ガスは、燃焼器からタービンに流れて、ガスタービンシステムを駆動しかつ発電する。
【０００３】
ガスタービンシステムのような発電システムは一般的に、エンクロージャ内に収容され、エンクロージャは、該システムを保護しかつ保守整備するための様々の機構を含む。一般的な従来技術のエンクロージャは、複数のナット／ボルトファスナを使用してその周辺部の周りで４つの側壁にボルト止めされた屋根を含む。従って、屋根及び側壁は、ほぼ中空の矩形エンクロージャを形成する。
【０００４】
一般的に、システムが保守整備を必要とする時には、ガスタービンシステムのタービンケーシング、ロータ及び燃焼器缶のような様々なシステム部品にアクセスするために、エンクロージャの屋根を取外すことが必要である。しかしながら、保守整備のために屋根を取外すことができる前に、屋根は側壁から締結解除することが必要である。屋根の周辺部を囲む多数のナット／ボルトファスナを締結解除すること、次に保守整備が完了した後にナット／ボルトファスナを再締結することは、時間がかかりかつ非効率的なプロセスである。加えて、屋根は、該屋根及び側壁を互いに締結する前に該屋根を再配置した後に、該側壁と整列させなければならず、そのことは保守整備プロセスにさらに多くの時間を追加する。さらに、保守整備要員は、システムを運転停止した後であってナット／ボルトファスナを締結解除し始める前に、システム及びエンクロージャを温度低下させるのを可能にするために比較的長時間待機しなければならなくなる可能性がある。このことにより、保守整備プロセスがさらに非効率なものになる。この保守整備の期間が長ければ長いほど、システムによる発電及び利益創出における損失の増大が生じるおそれがある。
【先行技術文献】
【特許文献】
【０００５】
【特許文献１】米国特許出願公開第２００９／００４９８４２号明細書
【発明の概要】
【発明が解決しようとする課題】
【０００６】
従って、当技術分野では、発電システム用の改良型のエンクロージャが要望されていると言える。例えば、側壁に対する屋根の比較的高速締結及び締結解除を可能にするエンクロージャが、有利であると言える。加えて、屋根及び側壁を迅速に整列させる機構を備えたエンクロージャが要望されていると言える。
【０００７】
本発明の態様及び利点は、次の説明においてその一部を記載しており、或いはそれら説明から自明なものとして理解することができ、或いは本発明の実施により学ぶことができる。
【課題を解決するための手段】
【０００８】
一実施形態では、発電システム用のエンクロージャを開示する。本エンクロージャは、複数の側壁と、複数の側壁に対してほぼ横方向に延びる屋根とを含む。本エンクロージャはさらに、その各々が屋根又は側壁の一方と関連した複数のラッチと、その各々が屋根又は側壁の他方と関連した複数の係合要素とを含む。複数のラッチの各々は、複数の係合要素の１つに係合して、屋根を複数の側壁に解除可能に締結するように構成される。
【０００９】
本発明のこれらの及びその他の特徴、態様並びに利点は、以下の説明及び特許請求の範囲を参照して一層良好に理解されるであろう。本明細書に組入れておりかつ本明細書の一部を構成する添付図面は、本発明の実施形態を例示しておりかつ詳細な説明と共に本発明の原理を明らかにするのに役立つ。
【００１０】
本発明の最良の形態を含む当業者への本発明の完全かつ有効な開示は、添付図面の図を参照した以下の本明細書の説明において行なう。
【図面の簡単な説明】
【００１１】
【図１】本開示の一実施形態によるエンクロージャの分解斜視図。
【図２】本開示の一実施形態による、図１に示すエンクロージャの組立斜視図。
【図３】本開示の一実施形態によるラッチ及び係合要素の前面図。
【図４】本開示の一実施形態によるラッチ及び係合要素を示す、図２の線４−４に沿った断面図。
【図５】本開示の別の実施形態によるラッチ及び係合要素の前面図。
【図６】本開示の別の実施形態によるラッチ及び係合要素を示す、図２の線６−６に沿った断面図。
【図７】本開示の一実施形態による剪断ピン及びボア孔を示す、図１の線７−７に沿った断面図。
【図８】本開示の別の実施形態による剪断ピン及びボア孔を示す、図１の線８−８に沿った断面図。
【図９】本開示の一実施形態による、隣り合う屋根セクションを互いに締結する機械的締結装置を示す、図２の線９−９に沿った断面図。
【発明を実施するための形態】
【００１２】
次に、
１以上の実施例を図面に示している本発明の実施形態について詳細に説明する。各実施例は、本発明の限定ではなくて本発明の説明として示している。実際には、本発明においてその技術的範囲及び技術思想から逸脱せずに様々な修正及び変更を加えることができることは、当業者には明らかであろう。例えば、一実施形態の一部として例示し又は説明した特徴要素は、別の実施形態で使用してさらに別の実施形態を生成することができる。従って、本発明は、そのような修正及び変更を特許請求の範囲及びその均等物の技術的範囲内に属するものとして保護することを意図している。
【００１３】
図１及び図２を参照すると、ガスタービンシステム（図示せず）のような発電システム用のエンクロージャ１０の一実施形態を示している。本開示はガスタービンシステムに限定されるものではなく、それどころか例えば蒸気タービンシステムを含むあらゆる好適な発電システムが本開示の技術的範囲及び技術思想の範囲内に属することを理解されたい。エンクロージャ１０は一般的に、複数の側壁１２と屋根１４とを含むことができる。図示するように、例示的な実施形態では、エンクロージャは、前方側壁２０、後方側壁２２、右側側壁２４及び左側側壁２６のような４つの側壁を含む。しかしながら、本開示のエンクロージャ１０は、４つの側壁１２に限定されるものではないことを理解されたい。それどころか、４つよりも多い又は少ない側壁１２を含む、側壁１２のあらゆる好適な数が、本開示の技術的範囲及び技術思想の範囲内に属する。例示的な実施形態では、側壁１２はさらに、地面に対してほぼ垂直に延びることができる。しかしながら、地面に対してあらゆる角度で延びる側壁１２が本開示の技術的範囲及び技術思想の範囲内に属することを理解されたい。
【００１４】
屋根１４は、側壁１２に対してほぼ横方向に延びることができる。例えば、屋根１４は、側壁１２に対してほぼ垂直に延びることができ、或いは様々な側壁１２間で僅かに上向き及び／又は下向き角度で延びることができる。さらに、屋根１４は、複数の屋根セクション２８を含むことができる。例えば、例示的な実施形態では、屋根１４は、２つの屋根セクション２８を含むことができる。しかしながら、本開示のエンクロージャ１０は、２つの屋根セクション２８に限定されるものではないことを理解されたい。それどころか、２つよりも多い又は少ない屋根セクション２８を含む、屋根セクション２８のあらゆる好適な数が、本開示の技術的範囲及び技術思想の範囲内に属する。
【００１５】
本開示によるエンクロージャ１０は、側壁１２に対する屋根１４の比較的高速締結及び締結解除を可能にする様々な機構を含むことができる。例えば、エンクロージャ１０は、複数のラッチ３０と複数の係合要素３２とを含むことができる。各係合要素３２は、ラッチ３０と組合せることができる。ラッチ３０の各々は、屋根１４又は側壁１２の１つと関連させることができる。さらに、係合要素３２の各々は、屋根１４又は側壁１２の１つと関連させることができる。従って、屋根１４と関連したラッチ３０の場合には、該ラッチ３０がそれに対して結合される噛合い係合要素３２は、側壁１２と関連させることができる。側壁１２と関連したラッチ３０の場合には、該ラッチ３０がそれに対して結合される噛合い係合要素３２は、屋根１４と関連させることができる。
【００１６】
ラッチ３０の各々は、該ラッチ３０がそれと組合される噛合い係合要素３２に係合するように構成することができる。例えば、ラッチ３０及び係合要素３２は、屋根１４の周辺部の周りに及び側壁１２の頂部端縁部の周りに配置することができ、かつさらに下記したように互いに係合するように配置することができる。各ラッチ３０が係合要素３２に係合すると、ラッチ３０及び係合要素３２は、屋根１４を側壁１２に解除可能に締結することができる。
【００１７】
ラッチ３０の全てを必ずしも屋根１４のみと又は側壁１２のみと関連させる必要がないことまた係合要素３２の全てを必ずしも屋根１４又は側壁１２の他方のみと関連させる必要がないことを理解されたい。例えば、１以上のラッチ３０のようなラッチ３０の任意の部分を様々な側壁１２と関連させることができ、一方、ラッチ３０の残りの部分を屋根１４と関連させることができる。さらに、１以上の係合要素３２のような係合要素３２の任意の部分を様々な側壁１２と関連させることができ、一方、係合要素３２の残りの部分を屋根１４と関連させることができる。例えば、幾つかの実施形態では、１以上の側壁１２は、その上にラッチ３０のみ又は係合要素３２のみを含むことができ、一方、その他の側壁１２は、その上にラッチ３０又は係合要素３２の他方のみを含む。一実施形態では、右側側壁２４及び左側側壁２６は、その上にラッチ３０を含んで、ラッチ３０の一部分が該右側側壁２４及び左側側壁２６と関連しかつラッチ３０の残りの部分が前方側壁２０及び後方側壁２２に隣接する屋根１４と関連するようにすることができる。さらに、前方側壁２０及び後方側壁２２は、その上に係合要素３２を含んで、係合要素３２の一部分が該前方側壁２０及び後方側壁２２と関連しかつ係合要素３２の残りの部分が右側側壁２４及び左側側壁２６に隣接する屋根１４と関連するようにすることができる。しかしながら、上記したように、側壁１２の各々は、ラッチ３０及び／又は係合要素３２を含むことができること、屋根１４は、側壁１２の各々に対するラッチ３０及び／又は係合要素３２の他方を含むことができることを理解されたい。
【００１８】
上記したように、幾つかの実施形態では、ラッチ３０は、側壁１２と関連させることができ、一方、噛合い係合要素３２は、屋根１４と関連させることができる。一実施形態では、図３及び図４に示すように、ラッチ３０は、それぞれの噛合い係合要素３２に係合するように構成されたＵ−ボルト４０を含むことができる。ラッチ３０はさらに、枢動ポイント４４の周りで枢動可能であって、該ラッチ３０を係合要素３２に解除可能に締結する取っ手４２を含むことができる。従って、ラッチ３０は、枢動可能であって、屋根１４をそれぞれの側壁１２に解除可能に締結することができる。Ｕ−ボルト４０及び取っ手４２は、取付けプレート４６に取付けることができ、取付けプレート４６は、側壁１２に取付けることができる。例えば、図４に示すように、一実施形態では、側壁１２は、上部Ｉ−ビーム４８を含むことができる。Ｉ−ビーム４８に対して、溶接、機械的締結又はあらゆるその他の好適な取付け法などによりＬ−ビーム５０を取付けることができ、Ｌ−ビーム５０に対して、取付けプレート４６を取付けることができる。係合要素３２は、Ｕ−ボルト４０のようなそれぞれのラッチ３０に係合するように構成されたフック５２を含むことができる。フック５２は、取付けプレート５４に取付けることができ、取付けプレート５４は、屋根１４の端縁部５６に取付けることができる。ラッチ３０及び係合要素３２は、Ｕ−ボルト４０及びフック５２が互いに係合することができるように配置することができる。従って、作動では、フック５２に係合するようにＵ−ボルト４０を移動させかつ次に取っ手４２を枢動させて、屋根１４をそれぞれの側壁１２に解除可能に締結することができる。
【００１９】
しかしながら、ラッチ３０及び係合要素３２は、図３及び図４に示しかつ上記したような実施形態に限定されるものではないことを理解されたい。例えば、ラッチ３０は、必ずしもＵ−ボルト４０を含むことを必要とせず、それどころか、例えば係合要素３２の係合及び側壁１２に対する屋根１４の解除可能な締結を可能にするあらゆる好適なボルト、フック、突出部、電磁装置、或いはあらゆるその他の好適なラッチ機構を含むことができる。加えて、係合要素３２は、必ずしもフック５２を含むことを必要とせず、それどころか、例えばラッチ３０の係合及び側壁１２に対する屋根１４の解除可能な締結を可能にするあらゆる好適なボルト、突出部、陥凹又はボア孔、リング、電磁装置、或いはあらゆるその他の好適な係合機構を含むことができる。さらに、ラッチ３０は、屋根１４を側壁１２に解除可能に締結するのに必ずしも枢動可能であることを必要としない。例えば、ラッチ３０は、屋根１４を側壁１２に解除可能に締結するクランプ機構、空圧又は液圧機構、或いはあらゆるその他の好適な装置を含むことができる。
【００２０】
加えて、屋根１４及び側壁１２の構成は、図３及び図４に示しかつ上記したような実施形態に限定されるものはない。例えば、側壁１２は、必ずしもＩ−ビーム４８及びＬ−ビーム５０を含むことを必要としない。それどころか、本明細書に説明するようにラッチ３０及び係合要素３２を取付けるのを可能にするあらゆる好適な側壁１２並びに屋根１４構成が、本開示の技術的範囲及び技術思想の範囲内に属する。
【００２１】
さらに、上記しかつ図３及び図４に示すようなラッチ３０は必ずしも側壁１２に取付けることを必要とせずまた上記しかつ図３及び図４に示すような係合要素３２は必ずしも屋根１４に取付けることを必要としないことを理解されたい。例えば、さらに別の実施形態では、ラッチ３０は、屋根１４に取付けることができ、係合要素３２は、側壁１２に取付けることができる。
【００２２】
上記したように、幾つかの実施形態では、係合要素３２は、側壁１２と関連させることができ、一方、噛合いラッチ３０は、屋根１４と関連させることができる。１つの例示的な実施形態では、図５及び図６に示すように、ラッチ３０は、それぞれの噛合い係合要素３２に係合するように構成されたＵ−ボルト６０を含むことができる。ラッチ３０はさらに、枢動ポイント６４の周りで枢動可能であって、該ラッチ３０を係合要素３２に解除可能に締結する取っ手６２を含むことができる。従って、ラッチ３０は、枢動可能であって、屋根１４をそれぞれの側壁１２に解除可能に締結することができる。Ｕ−ボルト６０及び取っ手６２は、取付けプレート６６に取付けることができ、取付けプレート６６は、屋根１４の頂部表面６８に取付けることができる。係合要素３２は、Ｕ−ボルト６０のようなそれぞれのラッチ３０に係合するように構成されたフック７２を含むことができる。フック７２は、取付けプレート７４に取付けることができ、取付けプレート７４は、側壁１２の外側表面７６に取付けることができる。ラッチ３０及び係合要素３２は、Ｕ−ボルト６０及びフック７２が互いに係合することができるように配置することができる。従って、作動では、フック７２に係合するようにＵ−ボルト６０を移動させかつ次に取っ手６２を枢動させて、屋根１４をそれぞれの側壁１２に解除可能に締結することができる。
【００２３】
しかしながら、ラッチ３０及び係合要素３２は、図５及び図６に示しかつ上記したような実施形態に限定されるものではないことを理解されたい。例えば、ラッチ３０は、必ずしもＵ−ボルト６０を含むことを必要とせず、それどころか、例えば係合要素３２の係合及び側壁１２に対する屋根１４の解除可能な締結を可能にするあらゆる好適なボルト、フック、突出部、電磁装置、或いはあらゆるその他の好適なラッチ機構を含むことができる。加えて、係合要素３２は、必ずしもフック７２を含むことを必要とせず、それどころか、例えばラッチ３０の係合及び側壁１２に対する屋根１４の解除可能な締結を可能にするあらゆる好適なボルト、突出部、陥凹又はボア孔、リング、電磁装置、或いはあらゆるその他の好適な係合機構を含むことができる。さらに、ラッチ３０は、屋根１４を側壁１２に解除可能に締結するのに必ずしも枢動可能であることを必要としない。例えば、ラッチ３０は、屋根１４を側壁１２に解除可能に締結するクランプ機構、空圧又は液圧機構、或いはあらゆるその他の好適な装置を含むことができる。
【００２４】
加えて、上記したように、本明細書に説明するようにラッチ３０及び係合要素３２を取付けるのを可能にするあらゆる好適な側壁１２及び屋根１４構成が、本開示の技術的範囲及び技術思想の範囲内に属する。
【００２５】
さらに、上記しかつ図５及び図６に示すようなラッチ３０は必ずしも屋根１４に取付けることを必要とせずまた上記しかつ図５及び図６に示すような係合要素３２は必ずしも側壁１２に取付けることを必要としないことを理解されたい。例えば、さらに別の実施形態では、ラッチ３０は、側壁１２に取付けることができ、係合要素３２は、屋根１４に取付けることができる。
【００２６】
特に、図５及び図６に示しかつ上記したようなこの例示的な実施形態では、ラッチ３０、特に取っ手６２は、屋根１４の頂部表面６８に隣接する位置に取付けられる。従って、この例示的な実施形態によるラッチ３０及び係合要素３２は、エンクロージャ１０の側壁１２と隣接するエンクロージャ１０又はその他の構造体の側壁１２との間に間隙が殆ど存在しないような領域内において該エンクロージャ１０上に実装することができる利点がある。例えば、幾つかの実施形態では、エンクロージャ１０の前方側壁２０、後方側壁２２、右側側壁２４及び／又は左側側壁２６の１つ或いはそれ以上は、作業者が側壁１２に取付けられたラッチ３０に係合させかつ該ラッチ３０を解除可能に締結するための間隙がそれらの間に殆ど存在しないような状態で、隣接する構造体に比較的近接させて配置することができる。これらの実施形態では、ラッチ３０は、それらの側壁１２に近接させて屋根の頂部表面６８に取付けて、作業者が比較的迅速にかつ容易にラッチ３０及び係合要素３２を係合させかつ解除可能に締結するのを可能にすることができる。
【００２７】
本開示によるエンクロージャ１０はさらに、屋根１４及び側壁１２を迅速に整列させるのを可能にする様々な機構を含むことができる。例えば、図２、図３、図７及び図８に示すように、エンクロージャ１０は、複数の剪断ピン８０を含むことができ、複数のボア孔８２を形成することができる。各ボア孔８２は、剪断ピン８０と組合せることができる。剪断ピン８０の各々は、屋根１４又は側壁１２の１つと関連させることができる。さらに、ボア孔８２の各々は、屋根１４又は側壁１２の１つと関連させることができる。従って、屋根１４と関連した剪断ピン８０の場合には、該剪断ピン８０がそれに対して結合される噛合いボア孔８２は、側壁１２と関連させることができる。側壁１２と関連した剪断ピン８０の場合には、該剪断ピン８０がそれに対して結合される噛合いボア孔８２は、屋根１４と関連させることができる。
【００２８】
ボア孔８２の各々は、該ボア孔８２がそれと組合される噛合い剪断ピン８０を受けるように構成することができる。例えば、剪断ピン８０及びボア孔８２は、屋根１４の周辺部の周りに及び側壁１２の上部部分の周りに配置かつ形成することができる。下記したように、ボア孔８２によってその中に噛合い剪断ピン８０を受けると、剪断ピン８０及びボア孔８２は、屋根１４を、該剪断ピン８０を備えかつ／又はボア孔８２を形成したそれぞれの側壁１２と整列させるように作用することができる。
【００２９】
上述したように、剪断ピン８０及びボア孔８２は、屋根１４を側壁１２と整列させるように作用することができる。例えば、剪断ピン８０は、あらゆる好適な断面プロフィールを有することができる。例えば、剪断ピン８０は、円形又は楕円形断面プロフィール、矩形又は方形プロフィール、三角形プロフィール、或いはあらゆる好適な多角形状を持つプロフィールを有することができる。さらに、幾つかの実施形態では、剪断ピン８０の断面プロフィールは、該剪断ピン８０の長さ全体にわたって一定とすることができる。さらに別の実施形態では、剪断ピン８０は、該剪断ピン８０の基部８４及び先端部８６間において少なくとも部分的にテーパさせることができる。例えば、図２、図３、図７及び図８に示すように、剪断ピン８０は、ほぼ円錐形剪断ピン８０とすることができる。それに代えて、剪断ピン８０は、角錐形とすることができ、或いはあらゆるその他の好適なテーパ構造を有することができる。
【００３０】
ボア孔８２は一般的に、剪断ピン８０と噛合う、従って受けるように構成することができる。従って、ボア孔８２は、剪断ピン８０の断面プロフィールとほぼ等しい断面プロフィールを有することができる。例えば、剪断ピン８０の断面プロフィールが該剪断ピン８０の長さ全体にわたって一定であるような実施形態では、ボア孔８２は、該ボア孔８２がその中に剪断ピン８０を受けることができるようなほぼ等しい断面プロフィールを有して、剪断ピン８０を位置決めし、従って屋根１４を、該剪断ピン８０を備え又はボア孔８２を形成したそれぞれの側壁１２と整列させることができる。
【００３１】
剪断ピン８０がテーパ状であるさらに別の実施形態では、ボア孔８２は、該剪断ピン８０の基部８４と噛合うように構成することができる。従って、これらの実施形態では、剪断ピン８０の基部８４の断面プロフィールとほぼ等しい断面プロフィールを有することができる。ボア孔８２は、その中に剪断ピン８０を受けて該剪断ピン８０を位置決めし、従って屋根１４を、該剪断ピン８０を備えるか又は該ボア孔を形成したそれぞれの側壁１２と整列させることができる。剪断ピン８０のテーパ形状部は、例えば屋根１４又は側壁１２の変形による該剪断ピン８０及びボア孔８２間の不整列を修正するのを可能にすることができる利点がある。
【００３２】
上記したように、各剪断ピン８０は、屋根１４又は側壁１２と関連させることができ、各噛合いボア孔８２は、屋根１４又は側壁１２の他方と関連させることができる。幾つかの実施形態では、図７及び図８に示すように、複数の剪断ピン８０の各々は、側壁１２と関連させることができ、屋根１４は、複数のボア孔８２を形成することができる。例えば、図７は、右側側壁２４と関連した剪断ピン８０及び屋根１４内に形成された噛合いボア孔８２の一実施形態を示している。図８は、前方側壁２０と関連した剪断ピン８０及び屋根１４内に形成された噛合いボア孔８２の一実施形態を示している。図示したような剪断ピン８０は、基部８４から側壁２０、２４を貫通して延びるネジ付き端部８８を含む。ナット８９は、ネジ付き端部８８と組合せて剪断ピン８０を側壁２０、２４に取付ける。噛合いボア孔８２は、屋根１４の底部表面９０内に形成される。図示するように、屋根１４が側壁２０、２４上に降下された時に剪断ピン８０は、ボア孔８２に係合して屋根１４を調整し、位置決めしかつそれぞれの側壁２０、２４と整列させることができる。
【００３３】
剪断ピン８０は、ネジ付き端部８８及びナット８９の使用により取付けることを必要としないことを理解されたい。例えば、剪断ピン８０は、溶接し、クランプし、あらゆるその他の好適な機械的ファスナを使用して締結し、或いはあらゆる好適な取付け装置を使用して別の方法で取付けることができる。
【００３４】
前方側壁２０及び右側側壁２４に対する上記したような剪断ピン８０及びボア孔８２は同様に、後方側壁２２及び左側側壁２６と関連させることができることをさらに理解された。加えて、上記したように、本明細書で説明するように剪断ピン８０を取付けかつボア孔８２を形成するのを可能にするあらゆる好適な側壁１２及び屋根１４構成は、本開示の技術的範囲及び技術思想の範囲内に属する。
【００３５】
特に、剪断ピン８０及びボア孔８２は側壁１２に対して屋根１４を位置決めすることに加えて、該側壁１２に対する該屋根１４の剪断抵抗をもたらす利点を有することができる。例えば、エンクロージャ１０の屋根１４は、地震及び／又は風力荷重により生じる様々な側方移動を受ける可能性がある。それらの荷重の結果として屋根１４は、側壁１２に対して剪断移動する傾向となる可能性がある。しかしながら、剪断ピン８０及びボア孔８２を設けることは、その剪断移動に抗する利点を有することができかつ従って屋根１４及びエンクロージャ１０全体に対して安定性及び耐久性を与えることができる。
【００３６】
上記したように、本開示による屋根１４は、複数の屋根セクション２８を含むことができる。幾つかの実施形態では、屋根セクション２８は、互いに締結することができる。例えば、図９は、２つの屋根セクション２８を含む本開示の屋根１４の一実施形態を示している。屋根セクション２８は、該根セクション２８を互いに締結することを可能にする様々な部品を含むことができる。例えば、図９に示すように、屋根セクション２８の各々は、該屋根セクション２８に取付けられたＬ−ビーム９４を含むことができる。Ｌ−ビーム９４は、互いに近接させて配置することができる。さらに、屋根セクション２８を互いに締結するように構成された複数の機械的ファスナ９６を設けることができる。例えば、図９に示すように、機械的ファスナ９６は、ナット／ボルトの組合せとすることができる。ボルトはＬ−ビーム９４を貫通して延びまたナットはボルト上に螺合して、隣り合う屋根セクション２８を互いに締結することができる。それに代えて、機械的ファスナは、例えばクランプ、リベット、ネジ、ラチェット装置、電磁装置、突出部／陥凹部組合せ又は雄／雌装置組合せ、或いはあらゆるその他の好適な機械的締結装置とすることができる。幾つかの実施形態では、機械的ファスナ９６は、締結解除されて、屋根セクション２８をエンクロージャから個々に取外すことができるようにする利点を有する。それに代えて、機械的ファスナ９６は、恒久的に屋根セクション２８を互いに締結することができる。
【００３７】
屋根セクション２８は、必ずしもＬ−ビーム９４を含む必要がないことを理解されたい。それどころか、本明細書で説明するように、隣り合う屋根セクション２８を互いに締結するのを可能にするあらゆる好適な屋根セクション２８構成は、本開示の技術的範囲及び技術思想の範囲内に属する。
【００３８】
従って、上記したように本開示のエンクロージャ１０は、側壁１２に対する屋根１４の比較的高速締結及び締結解除を可能にする利点がある。さらに、例示的な実施形態では、エンクロージャ１０は、屋根１４及び側壁１２を迅速に整列させる機構を有する。従って、本エンクロージャ１０は、その中の発電システムのより迅速かつより効率的な保守整備を可能にする。
【００３９】
本明細書は最良の形態を含む実施例を使用して、本発明を開示し、当業者が、あらゆる装置又はシステムを製作しかつ使用しまたあらゆる組込み方法を実行することを含む本発明の実施を行なうことを可能にもする。本発明の特許性がある技術的範囲は、特許請求の範囲により定めており、当業者が想到するその他の実施例を含むことができる。そのようなその他の実施例は、それらが特許請求の範囲の文言と相違しない構造的要素を含むか又はそれらが特許請求の範囲の文言と本質的でない相違を有する均等な構造的要素を含む場合には、特許請求の範囲の技術的範囲内に属する。
【符号の説明】
【００４０】
１０  エンクロージャ
１２  側壁
１４  屋根
２０  前方側壁
２２  後方側壁
２４  右側側壁
２６  左側側壁
２８  屋根セクション
３０  ラッチ
３２  係合要素
４０  Ｕ−ボルト
４２  取っ手
４４  枢動ポイント
４６  取付けプレート
４８  Ｉ−ビーム（側壁）
５０  Ｌ−ビーム（側壁）
５２  フック
５４  取付けプレート
５６  端縁部（屋根）
６０  Ｕ−ボルト
６２  取っ手
６４  枢動ポイント
６６  取付けプレート
６８  頂部表面（屋根）
７２  フック
７４  取付けプレート
７６  外側表面（側壁）
８０  剪断ピン
８２  ボア孔
８４  基部
８６  先端部
８８  ネジ付き端部
８９  ナット
９０  底部表面（屋根）
９４  Ｌ−ビーム
９６  機械的ファスナ
【図１】
2012072768.tif 000003
【図２】
2012072768.tif 000004
【図３】
2012072768.tif 000005
【図４】
2012072768.tif 000006
【図５】
2012072768.tif 000007
【図６】
2012072768.tif 000008
【図７】
2012072768.tif 000009
【図８】
2012072768.tif 000010
【図９】
2012072768.tif 000011